(57)【要約】  【課題】  筐体と分離体との固定及び封印を、経済的かつ効率的に行うことができる分離型遊技機を提供する。  【解決手段】  正面側に開口する筐体1と、正面開口11を開閉自在に塞ぐ前扉3と、図柄表示手段26と、制御装置と、正面開口11に収納可能で図柄表示手段26及び制御装置を少なくとも搭載可能な分離体2と、を少なくとも有する分離型遊技機であって、筐体1は筐体固定部60を備え、分離体2は前記筐体固定部60に固定可能な分離体固定部80を備え、筐体固定部60又は分離体固定部80のいずれか一方は固定片83を備え、筐体1と分離体2とは、分離体2を筐体1に収納した際に、筐体固定部60及び分離体固定部80で、固定片83を介して固定され、前記固定片83は、分離体2を筐体1から取り外す際に、破壊されるように形成する。【選択図】図１
2006149664.tif 000002
【特許請求の範囲】
【請求項１】
正面側に開口する筐体と、
筐体の正面開口を開閉自在に塞ぐ前扉と、
複数の図柄を変動表示及び停止表示可能な図柄表示手段と、
遊技機の作動を制御するための制御装置と、
前記筐体の正面開口に正面側から収納可能であり、前記図柄表示手段及び制御装置を少なくとも搭載可能な分離体と、を少なくとも有する分離型遊技機であって、
筐体には、筐体固定部を備え、
分離体には、前記筐体固定部に固定可能な分離体固定部を備え、
筐体固定部又は分離体固定部のいずれか一方には固定片を備え、
筐体と分離体とは、分離体を筐体に収納した際に、筐体固定部及び分離体固定部で、固定片を介して固定され、
前記固定片は、分離体を筐体から取り外す際には、破壊されるように形成されていることを特徴とする分離型遊技機。
【請求項２】
前記固定片は、分離体固定部に備えられており、
筐体固定部には、前記固定片を挿入可能な固定穴が設けられていることを特徴とする請求項１記載の分離型遊技機。
【請求項３】
前記固定片は、分離体の手前側に形成されていることを特徴とする請求項２記載の分離型遊技機。
【発明の詳細な説明】
【技術分野】
【０００１】
本発明は、分離型遊技機に関し、さらに詳しくは、筐体と分離体とが固定及び封印される分離型遊技機に関するものである。
【背景技術】
【０００２】
従来、資源の有効利用、遊技機交換作業の簡易化及び経費削減等の観点から、遊技内容の変更に最低限必要な構成部品のみを交換し、筐体やその他の部品は交換せずにホールに残したままにしておく、いわゆる分離型遊技機が提供されている。
このような分離型遊技機は、筐体と、複数の図柄を変動表示及び停止表示可能な図柄表示手段や遊技機の作動を制御するための制御装置等を備えた分離体とを有している。この分離体は、筐体とは別体であって、かつ、筐体の内部空間に着脱自在に収納できるように形成されている。そして、不正防止の観点から、前記分離体を筐体に収納した後は、分離体を自由に筐体から取り外すことができないようにするため、分離体を筐体に固定し、かつ、封印を行っている。このような技術は、下記の特許文献１に開示されている。
【０００３】
具体的には、この分離型遊技機は、分離型スロットマシンであって、正面側に開口する筐形の筐体を有しており、この内部に、前記開口を上下二つの開口に仕切る中板が取付けられている。また、この分離型スロットマシンには、リールユニット（図柄表示手段）や主基板（制御装置）が備えられている。そして、これらの装置を一体として交換可能とすべく、リールユニット（図柄表示手段）や主基板（制御装置）などを支持体に備えた交換ユニット（分離体）が形成されており、この交換ユニット（分離体）は中板上部に着脱自在に収納可能となっている。
また、筐体の内部の左右側面にはクリップ（固定装置）が備えられ、交換ユニット（分離体）を筐体に収納した際の前記クリップ（固定装置）と対応する交換ユニット（分離体）には、前記クリップ（固定装置）と係止可能なフックが備えられている。そして、クリップ（固定装置）にフックが係止されることで、筐体に交換ユニット（分離体）が固定される。さらに、この分離型スロットマシンには、前記クリップ（固定装置）を封印可能な樹脂製のリング（封印具）が備えられ、筐体に交換ユニット（分離体）が固定された後、このリング（封印具）により封印される。なお、クリップ（固定装置）の固定状態を解除して交換ユニット（分離体）を筐体から取り外すためには、このリング（封印具）の切断が必要となる。
【特許文献１】特開２００３−２３６０３８号公報
【発明の開示】
【発明が解決しようとする課題】
【０００４】
上述のような固定装置及び封印具を用いて、筐体と分離体との固定及び封印を行う分離型遊技機では、面換え、すなわち遊技内容の変更を行う際に、封印具を切断して、分離体を筐体から取り外さなければならない。そして、分離体に備えられた図柄表示手段や制御装置等を交換して、分離体を筐体に収納した後、分離体と筐体とを固定し、再度封印具を取り付けなければならない。このように、上記分離型遊技機では、面換えの際に、逐一、封印具を取り付けるという作業が発生するため、筐体と分離体との固定及び封印作業は手間がかかり非効率であって、作業者の負担が大きいという問題が生じていた。
また、上記分離型遊技機では、筐体と分離体との固定及び封印は、上述のように、それぞれ個別の部材により行う必要があったため、部品点数が多くなり、経済的でないという問題も生じていた。
【０００５】
したがって、上記のような事情により、経済的であって、筐体と分離体との固定及び封印を容易かつ効率的に行うことができるような分離型遊技機の提供が望まれている。
そこで、各請求項に記載された発明は、上記した従来の技術の有する問題点に鑑みてなされたものであり、その目的とするところは、以下の点にある。
（請求項１又は２）
すなわち、請求項１又は２記載の発明は、上記事情に鑑みてなされたものであり、筐体と分離体との固定及び封印を、経済的かつ効率的に行うことができる分離型遊技機を提供することを目的とする。
【０００６】
（請求項３）
すなわち、請求項３記載の発明は、上記した請求項１又は２記載の発明の目的に加え、筐体と分離体との封印を容易に認識することができる分離型遊技機を提供することを目的とする。
【課題を解決するための手段】
【０００７】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
正面側に開口する筐体1と、筐体1の正面開口11を開閉自在に塞ぐ前扉3と、複数の図柄を変動表示及び停止表示可能な図柄表示手段26と、遊技機の作動を制御するための制御装置と、前記筐体1の正面開口11に正面側から収納可能であり、前記図柄表示手段26及び制御装置を少なくとも搭載可能な分離体2と、を少なくとも有する分離型遊技機であって、筐体1には、筐体固定部60を備え、分離体2には、前記筐体固定部60に固定可能な分離体固定部80を備え、筐体固定部60又は分離体固定部80のいずれか一方には固定片83を備え、筐体1と分離体2とは、分離体2を筐体1に収納した際に、筐体固定部60及び分離体固定部80で、固定片83を介して固定され、前記固定片83は、分離体2を筐体1から取り外す際には、破壊されるように形成されていることを特徴とする。
【０００８】
ここで、遊技機としては、スロットマシン、パロット遊技機などが挙げられる。
また、この遊技機には、上記の他に、入賞により遊技媒体を払い出すとともに遊技媒体を貯留しておくための遊技媒体払出ユニット27を有していてもよい。また、遊技機に電源を入れるための電源装置、遊技機における各種当選役の抽選確率を変更する設定変更部などを有していてもよい。なお、電源装置及び設定変更部は、これらを一体に構成した電源ユニット4として形成することもできる。
筐体1は、その内部に遊技機の構成部品や装置等を収納する箱体であって、その正面側が開口しており、ここで「正面」とは、遊技機と対向して遊戯を行う遊技者が位置する方向をいう。また、筐体1は、たとえば、底板15、右側板16a、左側板16b、天板17及び背板18から構成されるようにすることができる。また、筐体1は、その内部に装置等を収納できれば良いものであって、特に材質を限定するものではない。たとえば、木板によって構成されていても良く、また、金属板あるいはプラスチック板によって構成されていても良い。
【０００９】
図柄表示手段26とは、上述の如く、複数の図柄を変動表示及び停止表示させることができるものであり、リールユニット22や液晶表示ユニットなどが含まれる。リールユニット22とは、複数の駆動モータを有し、各駆動モータの回転軸に、各々、表面に複数の図柄が表示された回転リール23が固定されているものである。
制御装置とは、上述の如く、遊技機の作動を制御するためのものであり、たとえば基板として形成される。基板としては、たとえば、遊技機の各装置の作動を制御することができる電子部品を搭載した基板である主基板が挙げられる。前記主基板は、ＲＯＭ、ＲＡＭ、ＣＰＵ等を有しており、主として、当選の抽選や、図柄表示手段26における図柄変動表示及び停止表示など遊技を制御するものである。また、前記主基板のみを備えるのではなく、図柄表示手段26などの作動以外を制御することができる基板として副基板を備えることも可能である。また、基板は、不正防止等の観点から、密封可能なケースなどに収納するのが望ましい。また、主基板及び副基板などを、上記のようにケースに収納して一体に構成することで、基板ユニット24を形成することもできる。このように、基板は、基板ユニット24として筐体1内に設けることもできる。
【００１０】
前記前扉3は、筐体1の正面開口11を開閉自在であって、これを閉めると遊技機の正面構造となるように形成されているものである。また、この前扉3は、筐体1の正面開口11の上部を開閉自在とする上扉30、及び、筐体1の正面開口11の下部を開閉自在とする下扉40とから構成されるようにしてもよい。また、前扉30には、図柄表示手段26を見ることができる図柄表示窓31や、遊技機を操作するための操作部41等を有していてもよい。また、前扉30は、筐体1の正面開口11を正面側から塞ぐことができる構成であれば、その構造などは特に限定されるものではない。たとえば、前扉30は、筐体1にヒンジ等を介して水平方向に回転自在に取り付けたものとすることができる。
【００１１】
前記分離体2は、たとえば直方体状の金属枠などからなる支持体21に、少なくとも図柄表示手段26及び制御装置を備えたものであるが、他の構成部品が搭載されていてもよい。この支持体21は、上述の金属枠のような枠状の構造体として形成するのみならず、側板や天板などを備えた箱状の構造体として形成することもできる。また、この支持体21の内部には、複数の仕切り等を設けて、制御装置等を配置しやすくしても良いものである。
また、上述のように、分離体2は、筐体1の正面開口11に正面側から収納可能であるが、分離体2を筐体1に収納できるのであれば、その収納手段は、特に限定されるものではない。たとえば、筐体1の内部空間に分離体2を載置可能とする載置手段を設け、この載置手段により、分離体2を筐体1に収納することができる。この載置手段としては、たとえば、筐体1の内部に横方向に渡されて、この筐体1の内部空間を上下二つの空間に仕切るような板状の中板12が挙げられる。また、分離体2を筐体1に吊り下げ可能とし、かつ、筐体1内部を前後方向に移動可能とする吊り下げ手段を設け、分離体2を筐体1に吊り下げることで、分離体2を筐体1に収納することもできる。
【００１２】
また、本発明においては、筐体1には、筐体固定部60を備え、分離体2には、前記筐体固定部60に固定可能な分離体固定部80を備える。
筐体固定部60及び分離体固定部80は、筐体1に分離体2を固定するためのものである。すなわち、分離体固定部80は筐体固定部60に固定可能に形成されているため、筐体1と分離体2とは、この分離体固定部80及び筐体固定部60で、後述する固定片83によって固定される。また、筐体1と分離体2とは、分離体2を筐体1に収納した際に、固定可能となっている。
また、この筐体固定部60及び分離体固定部80は、分離体2を筐体1に収納した際に、後述する固定片83を介して、固定可能となっていれば、その設置位置については特に限定されるものではない。また、設置個数についても特に限定されるものではない。たとえば、筐体1の、右側板16a及び左側板16bにそれぞれ１つずつ筐体固定部60を設けるとともに、分離体2を筐体1に収納した際の、前記筐体固定部60と対応する分離体2の側部にそれぞれ１つずつ分離体固定部80を設けることができる。また、筐体1の天板17に筐体固定部60を設けるとともに、分離体2を筐体1に収納した際の、前記筐体固定部60と対応する分離体2の上部に分離体固定部80を設けることもできる。また、分離体2を載置するために中板12を設けた場合には、中板12に筐体固定部60を設けるとともに、分離体2を筐体1に収納した際の、筐体固定部60と対応する分離体2の底部に分離体固定部80を設けることもできる。
【００１３】
また、筐体固定部60又は分離体固定部80のいずれか一方には固定片83を備えている。この固定片83は、筐体1と分離体2とを、筐体固定部60及び分離体固定部80で固定するための部材である。この固定片83は、筐体1と分離体2とを固定することができれば、その固定の構造については特に限定されるものではない。たとえば、固定片83が設けられていない方の固定部に、この固定片83と係合することができる係合孔を設けて固定することができる。
また、前記固定片83は、分離体2を筐体1から取り外す際には、破壊されるように形成されている。この固定片83は、分離体2を筐体1から取り外す際に破壊されるのであれば、その固定片を破壊するための構成については特に限定されるものではない。たとえば、固定片83が設けられていない方の固定部に、固定片破壊手段を設け、分離体2を筐体1から取り外す際には、この固定片破壊手段が必ず固定片83に当接し、かつ、圧力を加えることにより固定片83を折るなどして破壊するような構造とすることができる。この固定片破壊手段としては、たとえば、尖った先端を有するエッジ69などを用いることができる。また、特にこのような固定片破壊手段を設けずに固定片83が折れるような構造としてもよい。なお、固定片83の材質については、特に限定されるものではないが上述のように、分離体2を筐体1から取り外す際には破壊されるようにすべく、たとえば木材片、プラスチック片など、強度があまり高くないものが望ましい。
【００１４】
（作用）
本発明においては、筐体1と分離体2とは、分離体2を筐体1に収納した際に、筐体固定部60及び分離体固定部80で、固定片83を介して固定することができる。また、分離体2を筐体1から取り外す際には、この固定片83は必ず破壊される。すると、固定片83を新しいものに交換しない限り、再度、分離体2を筐体1に固定することはできない。したがって、分離体2は、自由に筐体1から取り外すことができないこととなるため、筐体1と分離体2とが封印されているのと同様の効果を奏することができる。
（請求項２）
請求項２記載の発明は、上記請求項１記載の発明の特徴に加え、前記固定片83は、分離体固定部80に備えられており、筐体固定部60には、前記固定片83を挿入可能な固定穴67が設けられていることを特徴とする。
【００１５】
（作用）
本発明によれば、分離体固定部80に固定片83が備えられ、かつ、筐体固定部60に固定穴67が設けられている。そして、固定片83は固定穴67に挿入可能となっているおり、分離体2が筐体1に収納された際に、固定片83が固定穴67に挿入されることで、筐体1と分離体2とを固定することができる。
（請求項３）
請求項３記載の発明は、上記請求項２記載の発明の特徴に加え、前記固定片83は、分離体2の手前側に形成されていることを特徴とする。
【００１６】
ここで「手前側」とは、上述の「正面」と同義であり、遊技機と対向して遊戯を行う遊技者が位置する方向をいう。
（作用）
本発明によれば、固定片83が分離体2の手前側に形成されているため、分離体2を筐体1から不正に取り外すこと等により固定片83が破壊されているのを容易に視認することができる。
【発明の効果】
【００１７】
本発明は、以上のように構成されているので、以下に記載されるような効果を奏する。
（請求項１又は２）
すなわち、請求項１又は２記載の発明によれば、筐体と分離体との固定及び封印を、経済的かつ効率的に行うことができる分離型遊技機を提供することができる。
さらに、請求項２記載の発明によれば、固定片が分離体側に設けられており、固定片が破壊されても筐体には影響がないため、いわゆる面換えを行う際にも、筐体は据え置いたまま用いることができる。
（請求項３）
すなわち、請求項３記載の発明は、上記した請求項１又は２記載の発明の効果に加え、筐体と分離体との封印を容易に認識することができる分離型遊技機を提供することができる。
【発明を実施するための最良の形態】
【００１８】
以下、本発明の実施の形態を図面を参照しつつ説明する。
（図面の説明）
図１から図７までは、本発明の実施の形態を示すものである。
図１は、分離型スロットマシンＳを分解した状態を示す斜視図である。図２は、筐体固定部60を示す斜視図（ａ）、及び、筐体固定部60の側断面を示した図（ｂ）である。図３は、筐体1内部に筐体固定部60が設けられている状態を示す斜視図である。図４は、分離体固定部80を示す斜視図（ａ）、及び、分離体固定部80の側断面を示した図である。図５は、分離体2の支持体21に分離体固定部80が設けられている状態を示した斜視図である。図６は、分離体2が筐体1に収納される前における、分離体固定部80及び筐体固定部60を示した平面図（ａ）、分離体2が筐体1に挿入される途中における、分離体固定部80及び筐体固定部60を示した平面図（ｂ）、分離体2が筐体1に収納された状態における、分離体固定部80及び筐体固定部60を示した平面図（ｃ）である。図７は、分離体2を筐体1から取り外した状態における、分離体固定部80及び筐体固定部60を示した平面図である。
【００１９】
本実施の形態における分離型遊技機は、分離型スロットマシンＳである。
この分離型スロットマシンＳは、図１に示すように、正面側に開口（正面開口11）を有し、かつ、内部空間を上下方向に仕切る水平状の中板12を有する筐体1と、筐体1内部で中板12上に着脱自在に設けられる分離体2と、筐体1の正面開口11を開閉可能に塞ぐ前扉3とから構成されており、さらにこの前扉3は、筐体1の、中板12上部である開口上部13を開閉可能に塞ぐ上扉30と、筐体1の、中板12下部である開口下部14を開閉可能に塞ぐ下扉40とから構成されている。
（筐体1）
筐体1は、図１に示すように、底板15、右側板16a、左側板16b、天板17及び背板18からなる正面側に開口する箱体であり、高さ方向略中央部には、右側板16aと左側板16bとの間に水平方向に中板12が設けられている。
【００２０】
そして、この中板12の下面には電源ユニット4が設けられ、底板15にはホッパーユニット5（遊技媒体払出ユニット27）が固定されている。電源ユニット4には、特に図示しないが電源装置が内装されていると共に、遊技における各種当選役の抽選確率を変更するための設定変更部が設けられている。設定変更部には、特に図示しないが、設定変更用のキーを挿入するための鍵穴や、設定を切り替える設定変更ボタン等の設定変更操作部が備えられている。電源ユニット4及びホッパーユニット5（遊技媒体払出ユニット27）は、遊技性に影響を与える部品ではないことから、分離体2の交換に際し、必ずしも交換する必要のないものであり、交換時には設置されたままにしておけるようになっている。
【００２１】
また、特に図示しないが、前記右側板16aの、中板12より下方には、集中端子板が取り付けられている。集中端子板とは、総メダル投入枚数、総メダル払い出し枚数、総回転数、大当たり抽選回数などの遊技に関するデータを、ホールコンピュータ等との間で送受信する装置である。この集中端子板は、ホールコンピュータとのネットワーク接続ができるのであれば、たとえば筐体1の右側板16a又は左側板16bに備えても良く、中板12の下面に備えても良い。
また、図１及び図３に示すように、筐体1内部であって、かつ、中板12より上方の右側板16a及び左側板16bにはそれぞれ、筐体1に分離体2を固定するための筐体固定部60が設けられている。また、後述するように筐体固定部60には固定穴67が設けられている（図２参照）。この筐体固定部60の固定穴67に、後述する分離体固定部80に設けられた固定片83が挿入され、これにより、筐体1と分離体2とが固定及び封印される。また、固定片83が固定穴67に挿入され固定されているのを視認しやすいものとすべく、この筐体固定部60は、右側板16a及び左側板16bの手前側に設けられる。
【００２２】
（分離体2）
分離体2は、図１に示すように、種々の部品を設置あるいは固定するための支持体21、この支持体21に固定された図柄表示手段26としてのリールユニット22、及び、制御装置としての基板を収納する基板ユニット24から形成されている。また、支持体21は、その左側部及び右側部にそれぞれ、側板を設けている。
ここで、リールユニット22は、複数の駆動モータを有し、各駆動モータの回転軸には、各々、表面に複数の図柄が表示された回転リール23が固定されている。また、前記基板ユニット24には、遊技及びスロットマシンの作動を制御するための主基板と、各種演出を行うための副基板とが含まれている。
【００２３】
また、この支持体21の左側には、前記上扉30を係合させ、回転自在となるように支持するための上部係合部51が上下方向に間隔を置いてそれぞれ二つずつ設けられている。
分離体2は、筐体1の中板12の上に載置され、開口上部13内部に収納されるものである。なお、分離体2は、筐体1の天板17に吊り下げられるような形で支持される構造に形成することで、中板12の上方に収納するようにしてもよい。
また、図１及び図５に示すように、分離体2を筐体1に収納した際の、筐体固定部60と対応する支持体21の側部にはそれぞれ、分離体固定部80が設けられる。また、後述するように、分離体固定部80には固定片83が設けられる（図４参照）。また、後述するように、筐体固定部60には固定穴67が設けられる（図２参照）。そして、固定片83が固定穴67に挿入されることにより、筐体固定部60及び分離体固定部80で、筐体1と分離体2とが固定及び封印される。
【００２４】
（上扉30）
上扉30は、図１に示すように、分離体2の支持体21の左側に回転自在に支持されるように形成されている板状の扉であり、略中央部に前記回転リール23の図柄を正面側から見ることができる図柄表示窓31を有し、周囲に飾り部33を設けてある。そして、種々の表示を行うための表示部32が設けられているものである。
ここで、前記飾り部33は、ランプ等により形成しても良く、入賞の報知その他の演出時にランプが点滅するようにしてもよい。また、前記表示部32は、７セグメントＬＥＤ等により数字を表示するものや、特に図示しないが、画像を表示するための液晶画面あるいはＣＲＴなどとしてもよい。
【００２５】
さらに、特に図示しないが、上扉30の裏面には、前記上部係合部51に係合可能な上扉係合部が上下方向に間隔をおいて二つ設けられており、上扉係合部の対向側には、ロック機構が設けられている。また、特に図示しないが、上扉30の裏面上部の左右には、種々の音声を出力するためのスピーカが設けられている。
前記ロック機構は、上扉30側に設けられた係止片が、分離体2の右側に設けられた凸部（特に図示しておらず）に係止され、扉を閉めると自動的にロックされ、解錠手段によりロックが解除されるように形成されている。
以上のように構成された上扉30は、前記分離体2を筐体1に固着した状態で、扉を閉めロックすることにより、筐体1の開口上部13を密閉することができるものである。
【００２６】
（下扉40）
下扉40は、図１に示すように、筐体1の開口下部14を塞ぐための扉であり、筐体1の左側板16bに回転自在かつロック可能に形成されているものである。
下扉40の上部は、図１に示すように、スロットマシンを作動させるための操作部41となっており、下扉40の上面は、閉扉時においては、上扉30よりも前側に突出するようになっている。また、下扉40の下部には払い出されたメダルを溜めておくためのメダル受け皿43が形成されており、前記操作部41とメダル受け皿43との間には、遊技内容その他の表示をするための表示パネルが取り付けられている。
【００２７】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44に所定の鍵を差し込んで回すと、下扉40のロックが解除されるものである。
さらに、特に図示しないが、下扉40の裏面側には、前記メダル投入口42から投入されたメダルを誘導しながらメダルの正偽を判断するためのメダルセレクターが設けられている。
【００２８】
また、特に図示しないが、下扉40の裏面には、筐体1の左側板16bに係合可能な下扉係合部が上下方向に間隔をおいて二つ設けられており、下扉係合部の対向側には、特に図示しないが、ロック機構が設けられている。このロック機構は、下扉30側に設けられた係止片が、特に図示しないが、筐体1の右側板16aに設けられた突部に係止され、扉を閉めると自動的にロックされ、解錠手段によりロックが解除されるように形成されている。
（筐体固定部60）
上述の如く、筐体1内部の、右側板16a及び左側板16bにはそれぞれ、筐体固定部60が設けられる。
【００２９】
筐体固定部60は、図２に示すように、直方体の一部を斜めにカットしたような、一方断面が台形状となるように形成されている。具体的に、筐体固定部60は、対称形状の台形面である上面61及び下面62を有し、かつ、下面62から上面61へ向けて立設する４つの方形状側面を有する台形柱状部材である。この４つの側面は、台形面における平行する２辺である長辺及び短辺のうち、長辺に挟まれた長辺面64と、前記短辺に挟まれた短辺面63と、台形面における斜辺に挟まれた斜辺面66と、台形面における斜辺と対向する立辺に挟まれた立辺面65とによって構成されている。
そして、筐体固定部60は、図３に示すように、前記斜辺面66が筐体1の手前側を向くようにして、筐体固定部60の長辺面64で、筐体1の右側板16a及び左側板16bにそれぞれ、固定される。したがって、筐体固定部60の立辺面65は、筐体1の奥側を向くとともに、筐体固定部60の短辺面63は対向する側板方向を向くこととなる。なお、筐体固定部60の斜辺面66は、筐体1の奥側に斜向する面となっている。すなわち、この斜辺面66は、筐体1の手前側から筐体1の奥側に向かうに連れて、筐体1の内部方向（分離体2を筐体1に収納した状態における分離体2の方向）に向かっている。
【００３０】
また、図２に示すように、筐体固定部60の短辺面63の略中央には、筐体固定部60の内部に向けて凹となる固定穴67が設けられている。この固定穴67は、後述する固定片83を挿入できる程度の大きさの直径を有する円形穴となっている。
また、図２に示すように、筐体固定部60の斜辺面66には、その略中央を、長辺面64側の端部から短辺面63側の端部に至るまで断面「コ」字状に切り欠いた斜辺面案内溝70が形成されている。なお、斜辺面66は上述の通り、筐体1の奥側に斜向する面であるため、この斜辺面66に形成された斜辺面案内溝70も同方向に斜向するものとなっている。
そして、図２に示すように、筐体固定部60の短辺面63には、前記斜辺面案内溝70に連続して、斜辺面66側の端部から固定穴67に至るまで断面「コ」字状に切り欠いた短辺面案内溝71が形成されている。なお、斜辺面案内溝70及び短辺面案内溝71は、後述する固定片83が移動可能な程度の幅を有している。
【００３１】
また、前記固定穴67の内周面の手前側には、その固定穴67の開口近傍に、筐体1の奥方向へ突出しているとともに、先端を鋭利な形状としたエッジ69が形成されている（図２（ｂ）参照）。
（分離体固定部80）
上述の如く、分離体2を筐体1に収納した際の、筐体固定部60と対応する支持体21の右側部及び左側部にはそれぞれ、分離体固定部80が設けられる。
分離体固定部80は、図４に示すように、直方体形状部材の基部81と、この基部81から出没自在な固定片83とから形成されている。
【００３２】
前記基部81の一面は、支持体21に固定される基部ベース面86となっており、前記基部81は、この基部ベース面86で前記支持体21の右側部及び左側部にそれぞれ固定されている（図５参照）。
また、筐体固定部60及び分離体固定部80は、分離体2を筐体1に収納した際に、基部81の、基部ベース面86と反対側の面である対向面87と、筐体固定部60の短辺面63とが、微小な間隙を挟んで対向するように、設けられている（図６（ｃ）参照）。
また、図４に示すように、前記対向面87の略中央部には、基部81の内部に向けて凹となるように形成された穴である固定片収納部82が設けられている。この固定片収納部82は、後述する固定片83を収納可能な穴であり、この固定片83を収納できる形状及び大きさに形成されている。
【００３３】
また、図４に示すように、固定片収納部82には支持バネ85が備えられている。この支持バネ85の一端は、固定片収納部82の奥部で、基部81に固定されているとともに、この支持バネ85の他端には、略円柱形状に形成された固定片83が取り付けられている。また、この固定片83には、その周面に切欠部84が設けられている。この切欠部84は、後述するように、分離体2を筐体1に収納した際に、筐体固定部60のエッジ69と係止可能となるように形成されている（図６（ｃ）参照）。
前記支持バネ85は、図４に示すように、通常、伸びた状態で固定片収納部82に設けられている。そして、支持バネ85が伸びた状態では、この支持バネ85の先端に取り付けられている前記固定片83は、その略全長が、固定片収納部82の外方へ突出しながら、脱落しないようになっている。また、この支持バネ85は、固定片収納部82の内方へ向けて押し縮めることができる。そして、この支持バネ85が押し縮められた状態では、前記固定片83は、その略全長が、固定片収納部82に収納される。
【００３４】
ここで、固定片83及び支持バネ85の動きについて説明する。
上述の通り、支持バネ85が伸びた状態では、支持バネ85の先端に取り付けられている固定片83の略全長が、固定片収納部82の外方へ突出している（図４（ｂ）参照）。そして、この状態で、固定片83を、固定片収納部82の内方へ向けて押していくと、この固定片83が取り付けられている支持バネ85も同方向へ向けて押し縮められながら、固定片83が、同方向へ向けて、固定片収納部82内を移動していく。そして、支持バネ85は、固定片83の全長が固定片収納部82に収納されるまで、押し縮められる。
また、固定片83に加えられた力を解放すると、支持バネ85が付勢され、基部81の外方へ向けて伸張する。そして、これに伴って、支持バネ85に取り付けられている固定片83にも、固定片収納部82の外方へ押し出す力が働き、この固定片83が、固定片収納部82の外方へ向けて、この固定片収納部82内を移動する。そして、支持バネ85は、この支持バネ85が伸びた状態となるまで伸張し、これに伴って、固定片83の略全長が固定片収納部82の外方へ突出することとなる。
【００３５】
（分離体2の筐体1への固定）
上述の如く、筐体1と分離体2とは、固定片83を介して、筐体固定部60及び分離体固定部80で固定される。筐体1と分離体2とを固定する際の、筐体固定部60及び分離体固定部80の動きについて説明する。
分離体2を筐体1へ固定するには、分離体2を筐体1の開口上部13から、中板12より上方の空間に押し込んでいく。
すると、図６に示すように、分離体固定部80の固定片収納部82から突出している固定片83の先端が、筐体固定部60の斜辺面案内溝70に接することとなる。そして、この後、さらに分離体2を筐体1の奥方向へ押し込んでいくと、固定片83は、斜辺面案内溝70に案内されて、筐体固定部60の斜辺面66を、筐体固定部60の短辺面63方向へ向けて移動していくこととなる。
【００３６】
ここで、この斜辺面案内溝70は、上述の通り、筐体1の奥方向に向けて斜向している（図６参照）。すなわち、斜辺面案内溝70は、筐体1の手前側から筐体1の奥側に向かうに連れて、筐体1の内部方向へ向かっている、換言すれば、斜辺面案内溝70は、筐体1の手前側から筐体1の奥側に向かうに連れて、筐体固定部60から分離体固定部80に近づいていくものとなっている。
したがって、図６に示すように、固定片83が、斜辺面案内溝70に案内されて、筐体固定部60の斜辺面66を、筐体固定部60の短辺面63へ向けて移動していくに伴って、固定片83には、この斜辺面案内溝70により、分離体固定部80の固定片収納部82の内方へ押し込む力が働くこととなる。すなわち、分離体2を筐体1の奥方向へ押し込んでいくに連れて、固定片83は、斜辺面案内溝70によって、固定片収納部82に押し込まれていく。
【００３７】
そして、さらに、分離体2を筐体1の奥方向へ押し込んでいくと、固定片83は斜辺面案内溝70に案内されて、斜辺面66における短辺面63側の端部まで到達する。ここで、上述の通り、筐体固定部60の短辺面63には、斜辺面案内溝70に連続して、斜辺面66側の端部から固定穴67まで至る短辺面案内溝71が形成されている。したがって、分離体2を筐体1の奥方向へさらに押し込んでいくと、固定片83は、短辺面案内溝71に案内されて、筐体固定部60の短辺面63を移動していく。そして、固定片83は、筐体固定部60の短辺面63に設けられた固定穴67に到達する。
ここで、上述の通り、固定片83は、斜辺面案内溝70及び短辺面案内溝71によって、分離体固定部80の固定片収納部82に押し込まれているため、この固定片83が取り付けられている支持バネ85は、分離体固定部80における固定片収納部82の内部方向へ押し縮められている。そして、固定片83が固定穴67に到達すると、斜辺面案内溝70及び短辺面案内溝71によって、固定片83を固定片収納部82に押し込んでいた力が解放される。これにより、支持バネ85が付勢され、固定片収納部82の外方へ向けて伸張し、これに伴って、支持バネ85に取り付けられている固定片83が、固定片収納部82の外方へ押し出される。そして、固定片83は、固定穴67に挿入される（図６参照）。
【００３８】
また、上述の如く、固定穴67の内周面の手前側には、筐体1の奥方向へ突出するエッジ69が設けられているが、前記支持バネ85の伸張力により、固定片83がエッジ69を乗り越えて固定片83が固定穴67を進入していく。そして、固定片83に設けられた切欠部84がエッジ69に到達すると、このエッジ68が切欠部84に係止されて、固定片83の進入が止まる。
このように、図６（ｃ）に示すように、分離体固定部80の固定片83が、筐体固定部60の固定穴67に挿入され、筐体1と分離体2とが、筐体固定部60及び分離体固定部80で、固定片83を介して、固定された結果、この固定穴67に設けられたエッジ69が、固定片83に形成された切欠部84に係止される。
【００３９】
（分離体2の筐体1からの取り外し）
上述の通り、筐体1と分離体2とが固定されることで、固定穴67に設けられたエッジ69が、固定片83に形成された切欠部84に係止される。
ここで、上述の如く、固定穴67に設けられたエッジ69は、筐体1の奥方向に向けて突出しており、かつ、このエッジ69の先端は鋭利な形状となっている。したがって、分離体2を筐体1から取り外すべく、分離体2を筐体1の手前方向へ向けて引き出そうとすると、図７に示すように、エッジ69によって固定片83が折られて破壊されることとなる。すなわち、分離体2を筐体1から取り外す際には、固定片83を必ず破壊しなければならないこととなる。
【００４０】
上述の点から、遊技内容の変更、いわゆる面換えの時以外は、分離体2が筐体1から自由に取り外されることを防止することができ、筐体1と分離体2とが封印されているのと同様の効果を有することとなる。
なお、いわゆる面換えを行う際には、分離体2を筐体1から取り外さなければならないため、上述の通り、固定片83は破壊される。したがって、分離体2の支持体21には新たに分離体固定部80を取り付ける必要がある。
（総括）
上述の如く、本発明の実施の形態では、分離体2を筐体1に収納した際には、固定片83が支持バネ85の伸長力により自動的に固定穴67に挿入されて、分離体2と筐体1とを固定する。したがって、分離体2を筐体1に収納するだけで、別段の固定作業をすることなく、分離体2と筐体1とが位置決め、かつ、固定されるため、作業者の負担を小さくすることができるとともに、効率的に固定を行うことができる。
【００４１】
また、上述の通り、分離体2を筐体1から取り外す際には、固定片83は、筐体固定部60の固定穴67に設けられたエッジ69により必ず破壊される。すると、固定片83を新しいものに交換しない限り、再度、分離体2を筐体1に固定することができないこととなる。したがって、上述の点から、遊技内容の変更、いわゆる面換えの時以外に、分離体2が自由に筐体1から取り外されることを防止することができるため、筐体1と分離体2とが封印されているのと同様の効果を奏することができる。
また、上述の通り、筐体1と分離体2との固定及び封印は、それぞれ別個の部材によることなく、固定具83のみで同時に行われる。したがって、部品点数を少なくすることができ、経済的に固定及び封印を行うことができる。
【００４２】
また、前記筐体固定部60は、筐体1における右側板16a及び左側板16bの手前側に備えられているため、固定片83が破壊されているのを容易に視認することができる。
また、本発明の実施の形態では、固定片83が分離体2の分離体固定部80に設けられており、固定片83が破壊されても筐体2には影響がないため、いわゆる面換えを行う際にも、筐体2は据え置いたまま用いることができる。
（他の実施の形態）
上述の実施の形態では、分離体2の分離体固定部80に固定片83が設けられていたが、この固定片83は、図８に示すように、筐体1の筐体固定部60に設けられるようにしてもよい。なお、図８は、分離体2が筐体1に収納される前における、分離体固定部80及び筐体固定部60を示した平面図（ａ）、分離体2が筐体1に挿入される途中における、分離体固定部80及び筐体固定部60を示した平面図（ｂ）、分離体2が筐体1に収納された状態における、分離体固定部80及び筐体固定部60を示した平面図（ｃ）である。
【００４３】
具体的な構成としては、図８に示すように、上述の実施の形態において分離体固定部80として使用した部材を、筐体固定部60として筐体1に設けるともに、上述の実施の形態において筐体固定部60として使用した部材を、分離体固定部80として分離体2に設ける。
すなわち、本実施の形態では，筐体固定部60が、直方体形状部材の基部81と、この基部81から出没自在な固定片83とから形成される。また、分離体固定部80が、対称形状の台形面である上面61及び下面62を有し、かつ、下面62から上面61へ向けて立設する４つの方形状側面を有する台形柱状部材となっている。なお、分離体固定部80は、図８に示すように、斜辺面66が筐体1の奥側を向くようにして、分離体固定部80の長辺面64で、分離体2の右側部及び左側部にそれぞれ、固定される。また、その他の構成は、上述の実施の形態と同様である。
【００４４】
本実施の形態のおける筐体固定部60及び分離体固定部80の動きとしては、分離体2を筐体1の開口上部13に押し込んでいくと、これに伴って、筐体固定部60に設けられた固定片83が、分離体固定部80の斜辺面案内溝70及び短辺面案内溝71に案内されて、分離体固定部80の斜辺面66及び短辺面63を移動する（図８（ｂ）参照）。そして、固定片83が分離体固定部80の固定穴67に到達すると、筐体固定部60の支持バネ85の伸張力により、固定片83が分離体固定部80の固定穴67に挿入される。このように、筐体固定部60の固定片83が、分離体固定部80の固定穴67に挿入され、筐体1と分離体2とが、筐体固定部60及び分離体固定部80で、固定片83を介して、固定された結果、この固定穴67に設けられたエッジ69が、固定片83に形成された切欠部84に係止される（図８（ｃ）参照）。
【００４５】
また、固定穴67に設けられたエッジ69は、固定穴67の内周面の奥側から筐体1の手前方向に向けて突出しており、かつ、このエッジ69の先端は鋭利な形状となっている。したがって、特に図示していないが、分離体2を筐体1から取り外すべく、分離体2を筐体1の手前方向へ向けて引き出そうとすると、上述の実施の形態と同様に、エッジ69によって固定片83が折られて破壊されることとなる。
また、本発明は、上述したような遊技媒体として円板状の遊技メダルを使用するスロットマシンに限定されるものではなく、スロットマシン以外の遊技機にも応用することができる。たとえば、遊技媒体として、遊技メダルの代わりにパチンコ玉などの遊技球を用いて、スロットマシンと同様の遊技を行わせるパロット遊技機にも適用することができる。
【図面の簡単な説明】
【００４６】
【図１】本発明の実施の形態であって、分離型スロットマシンを分解した状態を示す斜視図である。
【図２】本発明の実施の形態であって、筐体固定部を示す斜視図（ａ）、及び、筐体固定部の側断面を示した図（ｂ）である。
【図３】本発明の実施の形態であって、筐体内部に筐体固定部が設けられている状態を示す斜視図である。
【図４】本発明の実施の形態であって、分離体固定部を示す斜視図（ａ）、及び、分離体固定部の側断面を示した図（ｂ）である。
【図５】本発明の実施の形態であって、分離体の支持体に分離体固定部が設けられている状態を示した斜視図である。
【図６】本発明の実施の形態であって、分離体が筐体に収納される前における、分離体固定部及び筐体固定部を示した平面図（ａ）、分離体が筐体に挿入される途中における、分離体固定部及び筐体固定部を示した平面図（ｂ）、分離体が筐体に収納された状態における、分離体固定部及び筐体固定部を示した平面図（ｃ）である。
【図７】本発明の実施の形態であって、分離体を筐体から取り外した状態における、分離体固定部及び筐体固定部を示した平面図である。
【図８】本発明の他の実施の形態であって、分離体が筐体に収納される前における、分離体固定部及び筐体固定部を示した平面図（ａ）、分離体が筐体に挿入される途中における、分離体固定部及び筐体固定部を示した平面図（ｂ）、分離体が筐体に収納された状態における、分離体固定部及び筐体固定部を示した平面図（ｃ）である。
【符号の説明】
【００４７】
Ｓ  分離型スロットマシン
1  筐体                  2  分離体
3  前扉                  4  電源ユニット
5  ホッパーユニット
11  正面開口            12  中板
13  開口上部            14  開口下部
15  底板                16  側板
16a 右側板              16b 左側板
17  天板                18  背板
21  支持体              22  リールユニット
23  回転リール          24  基板ユニット
26  図柄表示手段        27  遊技媒体払出ユニット
30  上扉                31  図柄表示窓
32  表示部              33  飾り部
40  下扉                41  操作部
42  メダル投入口        43  メダル受け皿
44  鍵穴
51  上部係合部
60  筐体固定部          61  上面
62  下面                63  短辺面
64  長辺面              65  立辺面
66  斜辺面              67  固定穴
69  エッジ              70  斜辺面案内溝
71  短辺面案内溝
80  分離体固定部        81  基部
82  固定片収納部        83  固定片
84  切欠部              85  支持バネ
86  基部ベース面        87  対向面
【図１】
2006149664.tif 000003
【図２】
2006149664.tif 000004
【図３】
2006149664.tif 000005
【図４】
2006149664.tif 000006
【図５】
2006149664.tif 000007
【図６】
2006149664.tif 000008
【図７】
2006149664.tif 000009
【図８】
2006149664.tif 000010